(57)【要約】【課題】積重する箱を安全に、効率良く、また選択した段数の箱を速やかに、正確に拘持して運搬することができ、しかも作業者の身体への負担も小さい積重する箱の運搬具を提供する。【解決手段】枠体２は運搬対象である育苗箱の長さ方向幅に対応する長さを有し、枠体２の長さ方向に離間して内側に左右一対の持ち手３が立設してある。枠体２の両端に左右一対の可動係合体４が回動可能に枢着してある。各可動係合体４は、略中間の屈曲部５Ａが枠体２の端部に枢支され、屈曲部５Ａから枠体２に沿って伸張する作動杆部５Ｃ及び屈曲部５Ａから下方に伸張する連動杆部５Ｄとから略く字状の前後一対の可動アーム５が形成してある。持ち手３より内側に位置して可動アーム５の作動杆部先端間に指掛け部６が連結してあり、一対の連動杆部５Ｄの下端間に箱支え部７が連結してある。【選択図】図１
0003215899.tif 000002
【実用新案登録請求の範囲】
【請求項１】
運搬対象である箱の長さ方向幅に対応する長さを有する枠体と、該枠体の長さ方向に離間して枠体の内側に立設した左右一対の持ち手と、前記枠体の長さ方向両端に回動可能に枢着した左右一対の可動係合体とからなり、該各可動係合体は、略中間の屈曲部が前記枠体の端部に枢支され、該屈曲部から該枠体に沿って伸張する作動杆部及び該屈曲部から下方に伸張する連動杆部とからなる略く字状の前後一対の可動アームと、前記持ち手より内側に位置して該一対の可動アームの作動杆部先端間に連結された指掛け部と、前記一対の連動杆部の下端間に連結され、運搬する箱に係脱可能な箱支え部とから構成してなる積重する箱の運搬具。
【請求項２】
前記一対の連動杆部に昇降可能に支持され、前記箱支え部との間で前記運搬する箱を挟持する上箱押え部と、前記枠体の長手方向に沿って枢支され、該上箱押え部を駆動する操作軸と、該操作軸に設けられ、回動操作することにより前記上箱押え部を昇降動させる操作レバーと、前記枠体に設けられ、拘持する箱数に応じた該操作レバーの操作量を表示する箱数表示板とから構成してなる箱数選択機構を設けてあることを特徴とする請求項１記載の積重する箱の運搬具。
【請求項３】
前記一対の持ち手は、作業者の平均的肩幅に見合う幅に設定してあることを特徴とする請求項１記載の積重する箱の運搬具。
【考案の詳細な説明】
【技術分野】
【０００１】
本考案は、例えば育苗箱、麺箱のように積重した状態で保管し、運搬時には複数段に積重する箱を効率的、かつ安全に運搬するのに好適な積重する箱の運搬具に関する。
【背景技術】
【０００２】
例えば、苗を生育する育苗箱は苗床に苗を移植する際、作業効率の面から複数段に重ねて運搬することが行われている。育苗箱には上端側にフランジが形成してあり、積重した育苗箱を運搬する方法として、一対の掛具を左右のフランジの夫々に係止して持ち上げて運搬しているが、各掛具をフランジに取付け、逆に取り外す場合には手首を返さなければならないことから作業性が悪い、手首に負担が掛る、安定性に欠けるといった問題がある。
【０００３】
また、育苗箱は土を充填して水分を蓄えてあるので重量があること、育苗箱の横幅は作業者の肩幅より広いために作業者は両腕を広げて重量のある育苗箱を持たなければならず、極めて身体への負担が大きいこと、手首を痛める場合があること、運搬する育苗箱の箱数を決める際に左右側の確認が必要で、作業性が極めて悪いといった幾多の問題点がある。そして、これらの問題点は農家の高齢化に伴って深刻な問題になっている。
【０００４】
そこで、育苗箱を積重した状態で運搬する用具が提案されている。この運搬用具は、取手部１４を上部に有する本体１１の下端部に育苗箱１のフランジ部に係止する一対の保持爪１５を形成し、本体１１の中間部に積層体の最上段の育苗箱１の上面に当接する水平なガイド体１６を取付けた構成からなるものである（特許文献１）。
【先行技術文献】
【特許文献】
【０００５】
【特許文献１】登録実用新案第３０６２７４０号公報
【考案の概要】
【考案が解決しようとする課題】
【０００６】
しかし、上述した特許文献１の運搬用具は、育苗箱１の左右両端に本体１１、１１を係合するもので、作業者は両腕を横方向に広げなければならず、腕に掛る負担が大きいという問題、育苗箱１の上面に当接し、運搬する育苗箱１の段数に対応するガイド体１６は本体１１に対してねじ２１を着脱して高さ調整を行う構成であり、調整作業が面倒で効率が悪いという問題、更に、左右一対の本体１１、１１は連結していない単体であるため、左右の段数の確認が必要であるという問題、本体１１の片方が散逸する恐れがあるので一体に保管しなければならないといった面倒がある。
【０００７】
本考案は、上述した諸問題点に鑑みなされたもので、積重する箱を安全に、効率良く、また選択した段数の箱を速やかに、正確に拘持して運搬することができ、しかも作業者の身体への負担も小さい積重する箱の運搬具を提供することを目的とする。
【課題を解決するための手段】
【０００８】
上述した課題を解決するために構成した本考案の手段は、運搬対象である箱の長さ方向幅に対応する長さを有する枠体と、該枠体の長さ方向に離間して枠体の内側に立設した左右一対の持ち手と、前記枠体の長さ方向両端に回動可能に枢着した左右一対の可動係合体とからなり、該各可動係合体は、略中間の屈曲部が前記枠体の端部に枢支され、該屈曲部から該枠体に沿って伸張する作動杆部及び該屈曲部から下方に伸張する連動杆部とからなる略く字状の前後一対の可動アームと、前記持ち手より内側に位置して該一対の可動アームの作動杆部先端間に連結された指掛け部と、前記一対の連動杆部の下端間に連結され、運搬する箱に係脱可能な箱支え部とからなる。
【０００９】
前記一対の連動杆部に昇降可能に支持され、前記箱支え部との間で前記運搬する箱を挟持する上箱押え部と、前記枠体の長手方向に沿って枢支され、該上箱押え部を駆動する操作軸と、該操作軸に設けられ、回動操作することにより前記上箱押え部を昇降動させる操作レバーと、前記枠体に設けられ、拘持する箱数に応じた該操作レバーの操作量を表示する箱数表示板とから構成してなる箱数選択機構を設けるとよい。
【００１０】
そして、前記一対の持ち手は、作業者の平均的肩幅に見合う幅に設定してあるとよい。
【考案の効果】
【００１１】
本考案は上述の如く構成したから、下記の諸効果を奏する。
（１）枠体の長さ方向両端に可動係合体を設け、持ち手と指掛け部を一体に握ることにより可動アームを回動して運搬する箱の両側面側に箱支え部を確実に係止する構成にしたから、積重する箱の運搬作業を安全、かつ効率的に行うことができる。
（２）箱数選択機構は、操作レバーを操作するだけで運搬する数の箱を拘持することができるから、積重して運搬する箱の下段の箱に箱支え部を確実に係合できるし、箱支え部を係合する段数を左右側で間違える等の問題を確実に解消できるので運搬作業を円滑に効率良く行うことができる。
（３）一対の持ち手は作業者の平均的肩幅に見合う幅に設定してあるから、両腕を無理に広げて積重する箱を持ち上げる必要がないので身体への負担が小さいし、安全性に優れている。
【図面の簡単な説明】
【００１２】
【図１】本考案の実施の形態に係る積重する箱の運搬具の分解斜視図である。
【図２】可動アームの動きを示す積重する箱の運搬具の要部拡大図である。
【図３】箱数選択機構の拡大部分断面図である。
【図４】表示板と操作レバーを示す斜視図である。
【図５】積重した育苗箱を拘持する前の状態説明図である。
【図６】積重した育苗箱を運搬具で拘持した状態の説明図である。
【図７】３段に積重した育苗箱を運搬具で持ち上げた状態の説明図である。
【考案を実施するための形態】
【００１３】
以下、本考案の実施の形態を図面に基き詳述する。図５において、５１は例えば合成樹脂製の育苗箱で、該育苗箱５１は横長四角形の有底箱からなり、上端外側には運搬用フランジ５１Ａが枠状に一体に成形してある。そして、上述の構成からなる育苗箱５１は、複数段に積重して保管し、運搬することが行われるものである。
【００１４】
１は該育苗箱５１を積重した状態で運搬するための積重する育苗箱の運搬具（以下、運搬具１と称する。）、２は該運搬具１を構成する鋼材製の枠体で、該枠体２は運搬対象である育苗箱５１の長手方向の横幅と略同じ横方向長さからなる横枠材２Ａ、２Ａと、中空管からなり、該横枠材２Ａ、２Ａの両端に連結した縦枠材２Ｂ、２Ｂとからなり、枠体２は前後幅を育苗箱５１の前後幅より若干狭い間隔の横長四角形に形成してある。
【００１５】
３、３は前記枠体２の長さ方向に離間して枠体２に立設した左右一対の持ち手を示す。該各持ち手３は前後の各横枠材２Ａに立設した支持板３Ａ，３Ａと、該支持板３Ａ、３Ａ間に架設した円筒状の持ち手本体３Ｂとから略冂字状に構成してある。そして、一対の持ち手３、３は作業者の平均的肩幅に見合った間隔に設定することにより、腕に掛る負担が最小になるようにしてある。
【００１６】
４、４は枠体２の長さ方向両端に設けた左右一対の可動係合体を示す。５、５は該各可動係合体４を構成する前記一対の可動アームで、該各可動アーム５は屈曲部５Ａと、該屈曲部５Ａに設けた軸孔部５Ｂと、屈曲部５Ａから枠体２に沿って中央に伸張する作動杆部５Ｃと、屈曲部５Ａから下方に伸張する連動杆部５Ｄとから略く字状に形成してある。
【００１７】
６は持ち手３より内側に位置して前記一対の作動杆部５Ｃ、５Ｃの先端間に横架した指掛け部６を示す。該指掛け部６は断面略円弧状に形成し、かつ持ち手３に対して上縁６Ａより下縁６Ｂを接近させて設けてある。これにより、持ち手３に４本の指を掛けた状態で指掛け部６に親指を容易に、また確実に掛けることができるので、持ち手３と一体に可動アーム５を円滑に引き上げることが出来るようにしてある。
また、指掛け部６を上げきった状態では上縁６Ａと持ち手３との間に空隙が形成されるので、親指で可動アーム５を押し下げる操作を容易に行うことができる。
【００１８】
７は一対の連動杆部５Ｄ、５Ｄの下端間に横架した横長板状の箱支え部で、該箱支え部７は連動杆部５Ｄから内向きに突出して設けてあり、育苗箱５１のフランジ５１Ａに下側から係合して確実に持ち上げることが出来るようにしてある。
そして、軸孔部５Ｂ、５Ｂと枠体２の縦枠材２Ｂにかけて連結軸８を挿通することにより、枠体２の左右両端に可動係合体４、４を矢示イ、ロ方向に回動可能に組み付けた運搬具１が構成してある。
【００１９】
９は積重した育苗箱５１を所望の段数だけ拘持する作業を容易に、かつ確実に行うための箱数選択機構を示す。１０は該箱数選択機構９を構成する上箱押え部で、該上箱押え部１０は倒置Ｌ字状の金属板からなり、両端には連動杆部５Ｄに挿嵌して上下方向に摺動可能なスリーブ１０Ａ、１０Ａが設けてあり、中間には後述する連動片１１Ｅが連結する係着ピン１０Ｂが突設してある。
【００２０】
１１は前記上箱押え部１０を昇降操作するための押え部可動機構部を示す。１２は該押え部可動機構部１１を構成し、枠体２の略中心に位置して横枠材２Ａ、２Ａ間に架設した支持材、１３は中間が該支持材１２に回動可能に枢支され、両端側が縦枠材２Ｂ、２Ｂに固着した軸支持管１４、１４に支持されて回動可能な操作軸を示し、該操作軸１３の両端には上箱押え部１０を駆動するためのリンク機構１５が設けてある。
【００２１】
該リンク機構１５は一端側が前記操作軸１３に固着された駆動片１５Ａと、上端側が該駆動片１５Ａの他端側に遊嵌し、下端側が前記上箱押え部１０の係着ピン１０Ｂにピン結合した連動片１５Ｂとから構成してある。１６は前記支持材１２に立設した箱数表示板で、該箱数表示板１６は円弧状の周面１６Ａに育苗箱５１の段数に対応して凹部からなる箱数表示部１６Ｂ、１６Ｃ、１６Ｄ、・・が形成してある。１７は該箱数表示板１６に近接して前記操作軸１３に突設した操作レバーで、該操作レバー１７の上端には矢示ホ、ヘ方向に回動することにより前記箱数表示部１６Ｂ、・・・に摺接する弾性材からなる当接片１７Ａが横向きに突設してある。
【００２２】
本実施の形態は上述の構成からなるもので、次にその作用について説明する。図５、図６に示すように、運搬具１は左右の持ち手３、３を持ち、積重してある育苗箱５１の上に枠体２を移動させる。この時、可動アーム５の作動杆部５Ｃは自重により枠体２上にあり、連動杆部５Ｄは矢示ロ方向に開いた状態になっている。この状態で枠体２を積重してある最上段の育苗箱５１に上方から重ね、指掛け部６、６を指で引き上げて左右の可動アーム５、５を矢示イ方向に回動することにより、連動杆部５Ｄが矢示イ方向に回動し、箱支え部７が育苗箱５１のフランジ５１Ａの下側に入り込む。そこで、持ち手３と指掛け部６を一体に握って持ち上げることにより、複数段の育苗箱５１を挟持した状態で持ち上げ、所望の場所に運搬することができる。
【００２３】
また、本実施の形態では、上述の構成からなる箱数選択機構９を設けることにより、可動係合体４を操作する際に、積重して運搬する育苗箱５１の段数を先ず決めたら操作レバー１７を回動して箱数表示板１６の対応する箱数表示部１６Ｂ〜１６Ｄを選定する。これにより、操作軸１３が回転し、リンク機構１５が連動して選択した段数に対応する位置に上箱押え部１０が昇降動する。
【００２４】
そして、このようにして所定の高さに決めた上箱押え部１０を上段の育苗箱５１のフランジ５１Ａに上側から当接したら、指掛け部６を引き上げる。これにより連動杆部５Ｄが矢示イ方向に進出して選択した育苗箱５１のフランジ５１Ａ下に箱支え部7が進出し、選択した段数に積重している育苗箱５１を上箱押え部１０と箱支え部７とにより、段数を数える作業を行わずに速やかに、かつ確実に挟持して持ち上げることができる（図７参照）。
なお、上記操作において、図３に示すように、リンク機構１５を構成する連動片１５Ｂの上端側はテーパー孔に形成して駆動片１５Ａと遊嵌させてあり、連動片１５Ｂは矢示ハ、ニ方向に遊動可能にしてあるから可動アーム４の動きに追随することができる。
【００２５】
上述の如く、本実施の形態では育苗箱５１を対象に説明したが、本考案は育苗箱に限らず蕎麦、中華麺を収容する麺箱、その他積重して保管し、運搬する種々の箱の運搬に用いてもよいものである。
【００２６】
なお、本実施の形態では育苗箱５１のフランジ５１Ａに箱支え部７を係止するものと説明したが、本考案の運搬具はフランジの無い箱にあっては底面の縁側に係止するようにして用いることができるものである。
【符号の説明】
【００２７】
１      積重する箱の運搬具
２      枠体
３      持ち手
４      可動係合体
５      可動アーム
５Ｃ    作動杆部
５Ｄ    連動杆部
６      指掛け部
７      箱支え部
９      箱数選択機構
１０    上箱押え部
１３    操作軸
１６    箱数表示板
１７    操作レバー
５１    育苗箱
【図１】
0003215899.tif 000003
【図２】
0003215899.tif 000004
【図３】
0003215899.tif 000005
【図４】
0003215899.tif 000006
【図５】
0003215899.tif 000007
【図６】
0003215899.tif 000008
【図７】
0003215899.tif 000009